(57)【要約】【課題】ディスプレイ装置の向きを調整する表示システムにおいて、使い勝手を向上させる。【解決手段】リモートコントローラにおいて、送信手段は所定キーの操作に基づいて、テレビジョン受像機２の表示画面２７ａの角度を調整するリモコン信号を送信する。また、テレビジョン受像機２において、リモコン信号を受信する複数の受信センサを備えて成るリモコン信号受信部２１が備わるとともに、特定手段（特定プログラム３３ａ等）はリモコン信号を受信した受信部を特定し、決定手段（決定プログラム３３ｂ）は特定された受信部と対応付けられて記憶される回転方向及び回転角度を回転角度記憶部３２２ａから取得して、回転方向及び回転角度を決定し、回転制御手段（回転制御プログラム３３ｃ）は決定手段により決定された回転方向及び回転角度に基づいてテレビジョン受像機２を回転させる。【選択図】図３
2008288963.tif 000002
【特許請求の範囲】
【請求項１】
ディスプレイ装置と、当該ディスプレイ装置を遠隔操作するリモートコントローラと、を備える表示システムにおいて、
前記リモートコントローラは、
所定キーの操作に基づいて、前記ディスプレイ装置の表示画面の角度を調整する角度調整信号を送信する送信手段を備え、
前記ディスプレイ装置は、
前記リモートコントローラから、前記送信手段により送信される前記角度調整信号を受信する複数の受信部を備えて成る受信手段と、
前記受信手段に備わる前記複数の受信部のそれぞれと、ディスプレイ装置の回転方向及び回転角度と、を対応づけて記憶する記憶手段と、
前記受信手段に備わる前記複数の受信部のうち、前記角度調整信号を受信した受信部を特定する特定手段と、
前記記憶手段から、前記特定手段により特定された受信部と対応付けられて記憶される回転方向及び回転角度を取得して、前記ディスプレイ装置の回転方向及び回転角度を決定する決定手段と、
前記決定手段により決定された回転方向及び回転角度に基づいて、前記ディスプレイ装置を回転させる回転制御手段と、
を備えることを特徴とする表示システム。
【請求項２】
前記受信手段に備わる前記複数の受信部のそれぞれは、仕切り板により仕切られていることを特徴とする請求項１に記載の表示システム。
【請求項３】
前記仕切り板は、光吸収性を有することを特徴とする請求項２に記載の表示システム。
【請求項４】
ディスプレイ装置と、当該ディスプレイ装置を遠隔操作するリモートコントローラと、を備える表示システムにおいて、
前記リモートコントローラは、
所定キーの操作に基づいて、前記ディスプレイ装置の表示画面の角度を調整する角度調整信号を送信する送信手段を備え、
前記ディスプレイ装置は、
前記リモートコントローラから、前記送信手段により送信される前記角度調整信号を受信する複数の受信部を備えて成る受信手段と、
前記受信手段に備わる前記複数の受信部のそれぞれと、ディスプレイ装置の回転方向及び回転角度と、を対応づけて記憶する記憶手段と、
前記受信手段に備わる前記複数の受信部のうち、前記角度調整信号を受信した受信部を特定する特定手段と、
前記記憶手段から、前記特定手段により特定された受信部と対応付けられて記憶される回転方向及び回転角度を取得して、前記ディスプレイ装置の回転方向及び回転角度を決定する決定手段と、
前記決定手段により決定された回転方向及び回転角度に基づいて、前記ディスプレイ装置を回転させる回転制御手段と、
を備え、
前記受信手段に備わる前記複数の受信部のそれぞれは、光吸収性を有する仕切り板により仕切られ、
前記複数の受信部は、前記ディスプレイ装置の幅方向に沿って当該ディスプレイ装置の筐体から平面視アーチ状に突出して設けられていることを特徴とする表示システム。
【発明の詳細な説明】
【技術分野】
【０００１】
本発明は、表示システムに関する。
【背景技術】
【０００２】
液晶ディスプレイ装置を始めとするディスプレイ装置は、斜めの位置からディスプレイを視聴すると、画像の画質が劣化してしまう。そのため、従来から、ディスプレイ装置の向きを、視聴するユーザの位置に合わせて変更することができる表示システムが開発されている。
【０００３】
また、例えば、特許文献１には、複数のユーザが視聴する場合であっても、カメラによるディスプレイ前方の撮影や、マイクにより集音した音声パターンの検出等により、ターゲットユーザを特定し、特定したターゲットユーザの位置に応じてディスプレイの姿勢を追従させることができるテレビジョン装置が提案されている。
【特許文献１】特開２００６−３２４９５２号公報
【発明の開示】
【発明が解決しようとする課題】
【０００４】
しかしながら、上記特許文献１のテレビジョン装置では、ディスプレイを追従させるユーザをターゲットユーザとして登録しなければならないため不便であるとともに、ターゲットユーザを変更する場合にも手間がかかり、ディスプレイの向きを所望の向きに容易に調整することができないという問題があった。また、ターゲットユーザを対象としてディスプレイの向きが変わるため、個々のユーザにとっては使い勝手が悪い。
【０００５】
本発明の課題は、ディスプレイ装置の向きを調整する表示システムにおいて、使い勝手を向上させることである。
【課題を解決するための手段】
【０００６】
上記課題を解決するため、請求項１に記載の発明は、ディスプレイ装置と、当該ディスプレイ装置を遠隔操作するリモートコントローラと、を備える表示システムにおいて、
前記リモートコントローラは、
所定キーの操作に基づいて、前記ディスプレイ装置の表示画面の角度を調整する角度調整信号を送信する送信手段を備え、
前記ディスプレイ装置は、
前記リモートコントローラから、前記送信手段により送信される前記角度調整信号を受信する複数の受信部を備えて成る受信手段と、
前記受信手段に備わる前記複数の受信部のそれぞれと、ディスプレイ装置の回転方向及び回転角度と、を対応づけて記憶する記憶手段と、
前記受信手段に備わる前記複数の受信部のうち、前記角度調整信号を受信した受信部を特定する特定手段と、
前記特定手段により特定された受信部と、前記記憶手段により、当該特定された受信部と対応付けられて記憶される回転方向及び回転角度と、に基づいて、前記ディスプレイ装置の回転方向及び回転角度を決定する決定手段と、
前記決定手段により決定された回転方向及び回転角度に基づいて、前記ディスプレイ装置を回転させる回転制御手段と、
を備えることを特徴とする。
【０００７】
請求項２に記載の発明は、請求項１に記載の表示システムにおいて、前記受信手段に備わる前記複数の受信部のそれぞれは、仕切り板により仕切られていることを特徴とする。
【０００８】
請求項３に記載の発明は、請求項２に記載の表示システムにおいて、前記仕切り板は、光吸収性を有することを特徴とする。
【０００９】
請求項４に記載の発明は、ディスプレイ装置と、当該ディスプレイ装置を遠隔操作するリモートコントローラと、を備える表示システムにおいて、
前記リモートコントローラは、
所定キーの操作に基づいて、前記ディスプレイ装置の表示画面の角度を調整する角度調整信号を送信する送信手段を備え、
前記ディスプレイ装置は、
前記リモートコントローラから、前記送信手段により送信される前記角度調整信号を受信する複数の受信部を備えて成る受信手段と、
前記受信手段に備わる前記複数の受信部のそれぞれと、ディスプレイ装置の回転方向及び回転角度と、を対応づけて記憶する記憶手段と、
前記受信手段に備わる前記複数の受信部のうち、前記角度調整信号を受信した受信部を特定する特定手段と、
前記特定手段により特定された受信部と、前記記憶手段により、当該特定された受信部と対応付けられて記憶される回転方向及び回転角度と、に基づいて、前記ディスプレイ装置の回転方向及び回転角度を決定する決定手段と、
前記決定手段により決定された回転方向及び回転角度に基づいて、前記ディスプレイ装置を回転させる回転制御手段と、
を備え、
前記受信手段に備わる前記複数の受信部のそれぞれは、光吸収性を有する仕切り板により仕切られ、
前記複数の受信部は、前記ディスプレイ装置の幅方向に沿って当該ディスプレイ装置の筐体から平面視アーチ状に突出して設けられていることを特徴とする。
【発明の効果】
【００１０】
本発明によれば、リモートコントローラにおいて、送信手段により、所定キーの操作に基づいて、ディスプレイ装置の表示画面の角度を調整する角度調整信号が送信され、ディスプレイ装置において、リモートコントローラから、送信手段により送信される角度調整信号を受信する複数の受信部を備えて成る受信手段が備わるとともに、記憶手段により、受信手段に備わる複数の受信部のそれぞれと、ディスプレイ装置の回転方向及び回転角度と、が対応づけて記憶され、特定手段により、受信手段に備わる複数の受信部のうち、角度調整信号を受信した受信部が特定され、決定手段により、特定手段により特定された受信部と対応付けられて記憶される回転方向及び回転角度が記憶手段から取得されて、ディスプレイ装置の回転方向及び回転角度が決定され、回転制御手段により、決定手段により決定された回転方向及び回転角度に基づいて、ディスプレイ装置が回転される。
したがって、リモートコントローラにおいて所定キーを操作すると、ディスプレイ装置の向きがリモートコントローラの位置に合わせて変更されることとなり、ディスプレイ装置の向きを調整する表示システムにおいて、使い勝手を向上させることができる。
【発明を実施するための最良の形態】
【００１１】
以下、図面を参照して、本発明を実施するための最良の形態を詳細に説明する。
図１（ａ）は本実施形態の表示システムＳの平面図である。また、図１（ｂ）は本表示システムＳを構成するテレビジョン受像機２の正面図、図１（ｃ）はテレビジョン受像機２の側面図である。また、図２は、本表示システムＳを構成するリモートコントローラ１の要部構成を例示するブロック図であり、図３は、本表示システムＳを構成するテレビジョン受像機２の要部構成を例示するブロック図である。
【００１２】
本実施形態の表示システムＳは、図１に示すように、遠隔操作を行うためのリモートコントローラ（以下、リモコンと称する。）１と、当該リモコン１により遠隔操作され、映像を表示画面２７ａに表示させるディスプレイ装置としてのテレビジョン受像機２と、を備えて構成されている。
【００１３】
（リモコンの構成）
リモコン１は、例えば、図２に示すように、キー操作部１１、発振・変調部１２、リモコン信号送信部１３、ＣＰＵ（Central Processing Unit）１４、ＲＯＭ（Read Only Memory）１５等を備えて構成されている。
【００１４】
キー操作部１１は、ユーザがテレビジョン受像機２に対して各種指示を入力するための複数のキー（所定キー）を備えており、ユーザによるキーの押下操作がなされると、押下されたキーに対応する信号がＣＰＵ１４に出力される。
具体的には、図示は省略するが、キー操作部１１には、例えば、表示画面２７ａに各種メニュー画面を表示させるためのメニューキー、入力を確定するための決定キー、入力を消去するためのクリアキー、電源をオン／オフするための電源キー、音量を調節するためのボリュームキー、チャンネルを変更するためのチャンネルキー、それぞれに「０」〜「９」の数字が割り当てられ、チャンネル番号等を入力するためのテンキー等が備わる。
【００１５】
発振・変調部１２は、ＣＰＵ１４による制御により、キー操作部１１において押下されたキーに応じて発振し、押下されたキーに対応するコードで変調・増幅することにより、リモコン信号Ｓｇを生成する。発振・変調部１２により生成されたリモコン信号Ｓｇはリモコン信号送信部１３に出力される。
【００１６】
リモコン信号送信部１３は、例えば、赤外線ＬＥＤ（Light Emitting Diode）等により構成され、ＣＰＵ１４による制御に従い、発振・変調部１２から出力されるリモコン信号Ｓｇを赤外線として送出する。当該リモコン信号Ｓｇは、テレビジョン受像機２に対して、押下されたキーに対応する制御の実行を指示するとともに、テレビジョン受像機２の表示画面２７ａの角度を調整する角度調整信号としての機能を果たす。
【００１７】
ＣＰＵ１４は、リモコン１の各部から入力された入力信号に応じて、ＲＯＭ１５に格納された各種プログラムを実行するとともに、実行にかかるプログラムに基づく出力信号を各部に出力することにより、リモコン１の動作全般を統括制御する。
【００１８】
ＲＯＭ１５は、例えば、不揮発性の半導体メモリであり、ＣＰＵ１４によって実行される各種の制御プログラム並びに各制御プログラムの処理にかかるデータ等を記憶するものである。具体的には、ＲＯＭ１５は、送信プログラム１５ａ等の各種プログラムを備えている。
【００１９】
送信プログラム１５ａは、例えば、ＣＰＵ１４に、所定キーの操作に基づいて、テレビジョン受像機２の表示画面２７ａの角度を調整する角度調整信号としてのリモコン信号Ｓｇを送信する機能を実現させるためのプログラムである。
具体的には、ＣＰＵ１４は、ユーザにより、キー操作部１１に備わるキーが操作されると、操作されたキーに対応するリモコン信号Ｓｇを発振・変調部１２により生成し、生成されたリモコン信号Ｓｇを、リモコン信号送信部１３により送出する。
ＣＰＵは、かかる送信プログラム１５ａを実行することにより、リモコン信号送信部１３とともに送信手段を構成する。
【００２０】
（テレビジョン受像機の構成）
テレビジョン受像機２は、例えば、図３に示すように、リモコン１から送信されたリモコン信号Ｓｇを受信するリモコン信号受信部２１と、テレビジョン放送信号を受信するアンテナ２２と、アンテナ２２から入力された所定の周波数の音声・映像信号を選局するチューナ２３と、チューナ２３により選局された映像信号を復調する復調部２４と、復調部２４により復調された映像信号をデコードするデコーダ部２５と、映像信号及び音声信号に対して所定の映像処理を行う信号処理部２６と、映像信号に基づく映像を表示させる表示部２７と、音声を出力する音声出力部２８と、テレビジョン受像機２を左右方向に回転させる回転駆動部２９と、テレビジョン受像機２全体を統括制御する制御部３０と、等を備えて構成され、各部はバス３４により接続されている。
【００２１】
リモコン信号受信部２１は、リモコン１のリモコン信号送信部１３から送信されたリモコン信号Ｓｇを受信するとともに、受信したリモコン信号Ｓｇに復調、誤り訂正等の所定の処理を行って制御部３０に対して出力する。
また、リモコン信号受信部２１は、複数の受信センサ２２１を備えており、リモコン信号Ｓｇが受信された受信センサ２２１の受信強度に基づいて、リモコン信号Ｓｇが発信された方位を特定し、表示部２７の表示画面２７ａに対するユーザの視聴角度（例えば、スイーベル角度）を特定できるように構成されている。
【００２２】
図４は、テレビジョン受像機２に備わるリモコン信号受信部２１の平面図である。
リモコン信号受信部２１は、図４に示すように、テレビジョン受像機２の幅方向に沿って当該テレビジョン受像機２の筐体２ａから平面視アーチ上に突出して設けられている。リモコン信号受信部２１には、例えば、６つの受信センサ２２１Ａ〜Ｆが備わり、各々の受信センサ２２１Ａ〜Ｆが、自身の指向する方位から発信されたリモコン信号Ｓｇを受信するように構成される。また、各受信センサ２２１Ａ〜Ｆの間には、光吸収性を有する仕切り板２１２が設けられ、各受信センサ２２１Ａ〜Ｆの指向性が高められるように作用する。光吸収性を有する仕切り板２１２としては、例えば、黒色に塗装された樹脂板が用いられる。
【００２３】
例えば、図４に例示するリモコン信号受信部２１では、受信センサ２２１Ａ〜Ｆにより、視聴角度を３０度毎に検出することができる。すなわち、表示画面２７ａを正面から視聴する角度を０度とした場合の左方向９０度〜右方向９０度の１８０度範囲において、受信センサ２２１Ａによりリモコン信号Ｓｇが受信されると、視聴角度は左方向７５度（６１〜９０度）と特定でき、受信センサ２２１Ｂによりリモコン信号Ｓｇが受信されると、視聴角度は左方向４５度（３１〜６０度）と特定でき、受信センサ２２１Ｃによりリモコン信号Ｓｇが受信されると、視聴角度は左方向１５度（０〜３０度）と特定できる。また、受信センサ２２１Ｄによりリモコン信号Ｓｇが受信されると、視聴角度は右方向１５度（０〜３０度）と特定でき、受信センサ２２１Ｅによりリモコン信号Ｓｇが受信されると、視聴角度は右方向４５度（３１〜６０）度と特定でき、受信センサ２２１Ｆによりリモコン信号Ｓｇが受信されると、視聴角度は右方向７５度（６１〜９０度）と特定できることとなる。
ここで、左方向への回転とは、すなわち、平面視における時計回りの回転（右回り）である。また、右方向への回転とは、すなわち、平面視における反時計回りの回転（左回り）である。
【００２４】
アンテナ２２は、例えば、屋外において所定の方向に向けて配置されており、図示しないテレビジョン放送局から発信される高周波（ＲＦ）のテレビジョン放送信号である音声・映像信号を受信する。
チューナ２３は、例えば、図示は省略するが、高周波増幅回路と、局部発振回路及び混合回路から成る周波数変換回路と、を備えて構成されており、アンテナ２２等により入力されたテレビジョン放送信号を、高周波増幅回路において増幅し、混合回路において局部発振回路から出力される局部発振信号と混合し、さらに、特定の周波数を選局するための制御部３０からの制御信号に応じて、特定周波数帯の中間周波信号（IF信号）を受信し、当該中間周波信号に所定の処理を行って復調部２４に出力する。
復調部２４は、例えば、制御部３０からの制御信号に従って、チューナ２３から出力された中間周波信号に対してＯＦＤＭ（Orthogonal Frequency Division Multiplexing;直交周波数分割多重）復調や誤り訂正などの処理を実行し、トランスポートストリーム（TS）を生成して、デコーダ部２５に出力する。
デコーダ部２５は、例えば、復調部２４から入力されたトランスポートストリームを、図示しないＴＳデコーダにおいて、ＭＰＥＧ２（Moving Picture Experts Group 2）規格下のビデオストリーム、オーディオストリーム及びＰＳＩ／ＳＩ（Program Specific Information/Service Information）等に分離するとともに、ビデオストリームを図示しないビデオデコーダに、オーディオストリームを図示しないオーディオデコーダに出力し、さらに、ＰＳＩ／ＳＩに含まれるデータを制御部３０に供給する。ビデオデコーダは、ＴＳデコーダから入力されたビデオストリームを復号し、逆ＤＣＴ変換や動き補償制御等を行い、映像データを生成して、信号処理部２６に出力する。また、オーディオデコーダは、ＴＳデコーダから入力されたオーディオストリームを復号し、音声データを生成して信号処理部２６に出力する。
信号処理部２６は、図示しない映像処理部及び音声処理部を備え、オーディオデコーダから入力された音声データに対して、Ｄ／Ａ変換等の各種処理を行い、音声信号を生成して音声出力部２８に出力するとともに、ビデオデコーダから入力された映像データに対して、画質調整処理等の各種の映像処理を行い、映像信号を生成して表示部２７に出力する。
【００２５】
表示部２７は、例えば、ＬＣＤ（Liquid Crystal Display）、ＰＤＰ（Plasma Display Panel）等の表示画面２７ａを備え、信号処理部２６から入力された映像信号に基づく映像を当該表示画面２７ａに表示させる。
音声出力部２８は、例えば、スピーカ２８ａ等を備え、信号処理部２６から入力された音声信号に基づく音声を出力させる。
【００２６】
回転駆動部２９は、例えば、テレビジョン受像機２を回転させるための駆動モータ２９ａと、駆動力伝達部（図示省略）とを備えている。回転駆動部２９は、後述する回転制御プログラム３３ｃの実行において、制御部３０からの制御に応じて、表示画面２７ａを、リモコン１の位置（すなわち、ユーザの位置）の正面に向けるための所定の回転角度で、左右方向に回転する。
【００２７】
制御部３０は、ＣＰＵ３１、メモリ部３２、ＲＯＭ３３等を備えて構成されている。
【００２８】
ＣＰＵ３１は、テレビジョン受像機２の各部から入力された入力信号や、リモコン１等における各種キーの押下操作によってリモコン信号受信部２１を介して入力されたリモコン信号Ｓｇ等に応じて、ＲＯＭ３３に格納された各種プログラムを実行するとともに、実行にかかるプログラムに基づいて各部に出力信号を出力することにより、表示システムＳの動作全般を統括制御する。
【００２９】
メモリ部３２は、例えば、ＲＡＭ（Random Access Memory）等の揮発性メモリからなるワークエリア３２１を備えており、ＣＰＵ３１によって各種プログラムが実行される際に生じる処理結果や、入力されたデータ等をこのワークエリア３２１に記憶させる。
【００３０】
また、メモリ部３２は、ＥＰＲＯＭ（Erasable Programmable ROM）等の不揮発性メモリからなるデータエリア３２２を備えている。データエリア３２２は、例えば、回転角度記憶部３２２ａが記憶されている。
【００３１】
回転角度記憶部３２２ａは、リモコン信号受信部２１に備わる受信センサ２２１Ａ〜Ｆのそれぞれに対して、テレビジョン受像機２の表示画面２７ａをリモコン１の正面に向けるためのテレビジョン受像機２の回転方向と、回転角度を対応づけて記憶している。
図５は、回転角度記憶部３２２ａを例示する図である。図５の回転角度記憶部３２２ａにおいて、例えば、受信センサ２２１Ｂには、回転方向「左方向」・回転角度「４５度」が対応付けられている。したがって、後述の特定プログラム３３ａの実行において、リモコン信号Ｓｇを受信された受信センサ２２１が受信センサ２２１Ｂであると特定されると、後述の決定プログラム３３ｂの実行において、当該回転角度記憶部３２２ａが参照され、テレビジョン受像機２の回転方向及び回転角度が「左方向・４５度」と決定されることとなる。
【００３２】
ＲＯＭ３３は、例えば、不揮発性メモリから成るプログラム格納エリアを有しており、具体的には、特定プログラム３３ａ、決定プログラム３３ｂ、回転制御プログラム３３ｃ等を格納している。
【００３３】
特定プログラム３３ａは、例えば、ＣＰＵ３１に、リモコン信号受信部（受信手段）２１に備わる複数の受信センサ（受信部）２２１Ａ〜Ｆのうち、角度調整信号としてのリモコン信号Ｓｇを受信した受信センサ２２１を特定する機能を実現させるためのプログラムである。
具体的には、ＣＰＵ３１は、リモコン信号受信部２１において、リモコン１から送信されたリモコン信号Ｓｇを受信すると、リモコン信号受信部２１に備わる受信センサ２２１Ａ〜Ｆのそれぞれの受信強度に基づいて、最も受信強度の高い受信センサ２２１を検出し、この受信センサ２２１を、リモコン信号Ｓｇを受信した受信センサ２２１として特定する。
ＣＰＵ３１は、かかる特定プログラム３３ａを実行することにより、特定手段として機能する。
【００３４】
決定プログラム３３ｂは、例えば、ＣＰＵ３１に、特定プログラム３３ａの実行により特定された受信センサ２２１と対応付けられて記憶される回転方向及び回転角度を、回転角度記憶部３２２ａから取得して、テレビジョン受像機２の回転方向及び回転角度を決定する機能を実現させるためのプログラムである。
具体的には、ＣＰＵ３１は、特定プログラム３３ａの実行によりリモコン信号Ｓｇを受信した受信センサ２２１が特定されると、回転角度記憶部３２２ａを参照し、特定された受信センサ２２１に対応付けられて記憶されている回転方向及び回転角度を取得して、これをテレビジョン受像機２の回転方向及び回転角度として決定する。
ＣＰＵ３１は、かかる決定プログラム３３ｂを実行することにより、決定手段として機能する。
【００３５】
回転制御プログラム３３ｃは、例えば、ＣＰＵ３１に、決定プログラム３３ｂの実行により決定された回転方向及び回転角度に基づいて、テレビジョン受像機２を回転させる機能を実現させるためのプログラムである。
具体的には、ＣＰＵ３１は、決定プログラム３３ｂの実行によりテレビジョン受像機２の回転方向及び回転角度が決定されると、当該回転方向に、当該回転角度分回転するよう指示する指示信号を回転駆動部２９に出力し、テレビジョン受像機２を回転させる。
ＣＰＵ３１は、かかる回転制御プログラム３３ｃを実行することにより、回転駆動部２９とともに回転制御手段として機能する。
【００３６】
ここで、図６を参照しながら、特定プログラム３３ａ、決定プログラム３３ｂ、回転制御プログラム３３ｃの実行による回転制御処理の具体例について説明する。
例えば、ユーザが、図６（ａ）に示す位置において、リモコン１をテレビジョン受像機２に向けて、キー操作部１１に備わるキーを操作すると、当該操作したキーに対応するリモコン信号Ｓｇがテレビジョン受像機２に向けて送信され、テレビジョン受像機２の筐体２ａの前面部に設けられているリモコン信号受信部２１において受信されることとなる。
ＣＰＵ３１は、リモコン信号受信部２１においてリモコン信号Ｓｇが受信されると、リモコン信号受信部２１に備わる各受信センサ２２１の受信強度を検出し、最も受信強度の強い受信センサ２２１を、リモコン信号Ｓｇを受信した受信センサ２２１として特定する。これにより、例えば、受信センサ２２１Ｅがリモコン信号Ｓｇを受信した受信センサ２２１として特定される。
リモコン信号Ｓｇを受信した受信した受信センサ２２１が特定されると、次に、ＣＰＵ３１は、回転角度記憶部３２２ａを参照し、当該回転角度記憶部３２２ａにおいて、リモコン信号Ｓｇを受信した受信センサ２２１に対応付けられて記憶されている回転方向及び回転角度を取得し、これをテレビジョン受像機２の回転方向及び回転角度として決定する。これにより、例えば、回転角度記憶部３２２ａにおいて、受信センサ２２１Ｅに対応づけられている「右方向・４５度」が回転方向及び回転角度として決定されることとなる。
回転方向及び回転角度が決定されると、ＣＰＵ３１は、当該回転方向に、当該回転角度分回転するよう指示する回転制御信号を回転駆動部２９に出力し、テレビジョン受像機２を回転させる。これにより、例えば、テレビジョン受像機２は、右方向に４５度回転することとなり、図６（ｂ）に示すように、表示画面２７ａがリモコン１（すなわち、ユーザ）の正面を向いた状態となる。
【００３７】
次に、図７のフローチャートを参照しながら、回転制御処理について説明する。
【００３８】
まず、ステップＳ１において、リモコン１のキー操作部１１において、ユーザによりキー操作が行われると、操作されたキーに対応するリモコン信号Ｓｇが生成されて、リモコン信号送信部１３から赤外線信号として送信される。
ステップＳ２において、テレビジョン受像機２のリモコン信号受信部２１において、リモコン１から送信されたリモコン信号Ｓｇが受信されると、ＣＰＵ３１は、ステップＳ３において、リモコン信号受信部２１に備わる各受信センサ２２１の受信強度を検出し、最も受信強度の高い受信センサ２２１を、リモコン信号Ｓｇを受信した受信センサ２２１として特定する。
ステップＳ４において、ＣＰＵ３１は、回転角度記憶部３２２ａにおいて、リモコン信号Ｓｇを受信した受信センサ２２１に対応付けられている回転方向及び回転角度を、テレビジョン受像機２の回転方向及び回転角度として決定し、ステップＳ５において、決定した回転方向に、決定した回転角度分回転するよう指示する回転制御信号を、回転駆動部２９に対して出力し、回転駆動部２９を回転させる。これにより、テレビジョン受像機２の表示画面２７ａが、リモコン信号Ｓｇを送信したリモコン１の方向に向けられることとなり、ユーザは、表示画面２７ａの正面の位置から、最適な画質で視聴を行うことができる。
【００３９】
以上説明した本実施形態における表示システムＳによれば、リモートコントローラ１において、ＣＰＵ１４による送信プログラム１５ａの実行により、所定キーの操作に基づいて、テレビジョン受像機２の表示画面２７ａの角度を調整するリモコン信号Ｓｇが送信される。また、テレビジョン受像機２において、送信プログラム１５ａの実行によりリモートコントローラ１から送信されるリモコン信号Ｓｇを受信する複数の受信センサ２２１Ａ〜Ｆを備えて成るリモコン信号受信部２１が備わるとともに、回転角度記憶部３２２ａにより、リモコン信号受信部２１に備わる複数の受信センサ２２１Ａ〜Ｆのそれぞれと、テレビジョン受像機２の回転方向及び回転角度と、が対応づけて記憶され、ＣＰＵ３１による特定プログラム３３ａの実行により、リモコン信号受信部２１に備わる複数の受信センサ２２１のうち、リモコン信号Ｓｇを受信した受信センサ２２１が特定され、決定プログラム３３ｂの実行により、特定プログラム３３ａの実行により特定された受信センサ２２１と対応付けられて記憶される回転方向及び回転角度が回転角度記憶部３２２ａから取得されて、テレビジョン受像機２の回転方向及び回転角度が決定され、回転制御プログラム３３ｃの実行により、決定プログラム３３ｂの実行により決定された回転方向及び回転角度に基づいて、テレビジョン受像機２が回転される。
したがって、リモコン１において所定キーを操作すると、テレビジョン受像機２の表示画面２７ａの向きがリモコン１の位置に合わせて変更されることとなり、テレビジョン受像機２の向きを調整する表示システムＳにおいて、使い勝手を向上させることができる。
【００４０】
また、リモコン信号受信部２１に備わる複数の受信センサ２２１Ａ〜Ｆのそれぞれは、仕切り板２１２により仕切られているため、何れか一つの受信センサ２２１の受信センサ２２１がリモコン信号Ｓｇを受信する可能性が高くなり、テレビジョン受像機２の表示画面２７ａに対するリモコン１の位置を、より確実に特定できることとなる。
さらに、当該仕切り板２１２は光吸収性を有するため、テレビジョン受像機２の表示画面２７ａに対するリモコン１の位置の特定を、更に確実に行うことができる。
また、複数の受信センサ２２１Ａ〜Ｆは、テレビジョン受像機２の幅方向に沿ってテレビジョン受像機２の筐体２ａから平面視アーチ状に突出して設けられているため、簡易な構成で、テレビジョン受像機２の表示画面２７ａに対するリモコン１の位置を特定することができる。
【００４１】
また、上記実施形態の表示システムＳでは、キー操作部１１に、角度調整信号を送信するための専用のキーを設けず、テレビジョン受像機２を遠隔操作するためのリモコン信号Ｓｇを角度調整信号として用いることとした。したがって、リモコン１による操作の度に、テレビジョン受像機２をリモコン１の位置に合わせて回転させることができ、ユーザは、意識しなくとも、常に最適な画質で映像を視聴することができる。
【００４２】
なお、本発明は上記実施の形態に限られることなく、本発明の趣旨を逸脱しない範囲において種々の改良並びに設計の変更を行っても良い。
例えば、リモコン１に、テレビジョン受像機２の表示画面２７ａの向きを調整するための専用ボタンを設けて、当該専用ボタンの押下に基づくリモコン信号を、表示画面の角度を調整する角度調整信号とする構成であっても良い。これにより、ユーザが望む場合のみ、テレビジョン受像機２の表示画面の向きを変更することができる。また、この場合において、専用ボタンの押下により送信されるリモコン信号に、他のリモコン信号より強い指向性を持たせるように構成しても良い。
また、上記実施形態では、テレビジョン受像機２を左右方向へ回転させる場合について説明したが、上下方向におけるリモコン１の位置も検出し、左右方向に加え、上下方向へも回転させることができる構成であっても良い。
また、上記実施形態では、角度調整信号の受信強度が最も強い受信センサ２１１を特定して、回転方向及び回転角度を決定する場合について説明したが、回転方向・回転角度の決定方法はこれに限られない。例えば、複数の受信センサ２１１で角度調整信号を受信した場合には、各受信センサ２１１の受信強度の比率から、リモコン１の位置をより細かく算出し、これに基づいて回転方向及び回転角度を決定しても良い。
【図面の簡単な説明】
【００４３】
【図１】図１（ａ）は本実施形態の表示システムの平面図、図１（ｂ）は本表示システムを構成するテレビジョン受像機の正面図、図１（ｃ）は本表示システムを構成するテレビジョン受像機の側面図である。
【図２】本実施形態の表示システムを構成するリモートコントローラの要部構成を例示するブロック図である。
【図３】本実施形態の表示システムを構成するテレビジョン受像機の要部構成を例示するブロック図である。
【図４】テレビジョン受像機に備わるリモコン信号受信部の平面図である。
【図５】回転角度記憶部を例示する図である。
【図６】回転制御処理の具体例を説明するための図である。
【図７】回転制御処理を示すフローチャートである。
【符号の説明】
【００４４】
Ｓ                表示システム
１                リモートコントローラ
１３              リモコン信号送信部（送信手段）
１４              ＣＰＵ（送信手段）
１５ａ            送信プログラム（送信手段）
２                テレビジョン受像機（ディスプレイ装置）
２ａ              筐体
２１              リモコン信号受信部（受信手段）
２１１（２２１Ａ〜Ｆ）  受信センサ（受信部）
２１２            仕切り板
２７ａ            表示画面
２９              回転駆動部（回転制御手段）
３１              ＣＰＵ（特定手段、決定手段、回転制御手段）
３２２ａ          回転角度記憶部（記憶手段）
３３ａ            特定プログラム（特定手段）
３３ｂ            決定プログラム（決定手段）
３３ｃ            回転制御プログラム（回転制御手段）
Ｓｇ              リモコン信号（角度調整信号）
【図１】
2008288963.tif 000003
【図２】
2008288963.tif 000004
【図３】
2008288963.tif 000005
【図４】
2008288963.tif 000006
【図５】
2008288963.tif 000007
【図６】
2008288963.tif 000008
【図７】
2008288963.tif 000009